【事件の表示】
　特許第２９７２２７４号「白癬ワクチン」の請求項１ないし９、１２、１３、１６ないし３４、３６ないし３８、４１、４２に係る特許に対する特許異議の申立てについて、次のとおり決定する。
【結　論】
　特許第２９７２２７４号の請求項１ないし９、１２ないし１３、１６ないし３４、３６ないし３８、４１ないし４２に係る特許を取り消す。
【理　由】
 １．手続の経緯
　本件特許第２９７２２７４号発明は、平成２年４月２１日（パリ条約による優先権主張１９８９年４月２１日、米国）に特許出願され、平成１１年８月２７日にその特許権の設定登録がされたものである。その後、本件特許について、ベーリンガー　インゲルハイム　ゲゼルシャフト　ミット　ベシュレンクテル　ハフツングより特許異議申立がされ、当審より取消理由通知がされ、その指定期間内である平成１３年４月１３日に訂正請求（その後平成１４年４月１１日付けの訂正請求書取下書により取下がされた。）がされ、さらにその後、当審より審尋がされ、それに対して回答がされた。　
　
２．本件発明
　特許異議申立がされた請求項１〜９、１２〜１３、１６〜３４、３６〜３８及び４１〜４２に係る発明は、特許請求の範囲に記載された次のとおりのものである。
「【請求項１】少なくとも１種の皮膚糸状菌に由来する抗原；および適当なキャリアを含有する白癬ワクチン。
【請求項２】前記皮膚糸状菌は下記皮膚糸状菌類より成る群から選ばれる、請求項１記載のワクチン。
エピダーモフィートン・フロクスム（Epidermophyton floccusum）
ミクロスポルム・オウズイニ（Microsporum audouini）
ミクロスポルム・カニス（Microsporum canis）
ミクロスポルム・ジストーツム（Microsporum distortum）
ミクロスポルム・エクイヌム（Microsporum equinum）
ミクロスポルム・ジプセウム（ジプスム）（Microsporum gypseum（gypsum））
ミクロスポルム・ナヌム（Microsporum nanum）
トリコフィートン・コンセントリクム（Trichophyton concentricum）
トリコフィートン・エクイヌム（Trichophyton equinum）
トリコフィートン・ガリネ（Trichophyton gallinae）
トリコフィートン・ジプスム（ジプセウム)（Trichophyton gypsum（gypseum））
トリコフィートン・メグニニ（Trichophyton megnini）
トリコフィートン・メンタグロフィテス（Trichophyton mentagrophytes）
トリコフィートン・キンケアヌム（Trichophyton quinckeanum）
トリコフィートン・ルブルム（Trichophyton rubrum）
トリコフィートン・シェーンレイニ（Trichophyton schoenleini）
トリコフィートン・トンスランス（Trichophyton tonsurans）
トリコフィートン・ベルコスム（Trichophyton verrcosum）
トリコフィートン・ベルコスム・アルブム変種
（Trichophyton verrcosum var.album）
トリコフィートン・ベルコスム・ジスコイデス変種
（Trichophyton verrucosum var.discoides）
トリコフィートン・ベルコスム・オクラセウム変種
（Trichophyton verrucosum var.ochraceum）
トリコフィートン・ビオラセウム（Trichophyton violaceum）
【請求項３】前記皮膚糸状菌はミクロスポルム・カニス（Microsporum canis）である、請求項２記載のワクチン。
【請求項４】前記抗原は複数の皮膚糸状菌類に由来するものである、請求項１記載のワクチン。
【請求項５】前記皮膚糸状菌類は下記皮膚糸状菌類より成る群から選ばれる、請求項４記載のワクチン。
エピダーモフィートン・フロクスム（Epidermophyton floccusum）
ミクロスポルム・オウズイニ（Microsporum audouini）
ミクロスポルム・カニス（Microsporum canis）
ミクロスポルム・ジストーツム（Microsporum distortum）
ミクロスポルム・エクイヌム（Microsporum equinum）
ミクロスポルム・ジプセウム（ジプスム）
（Microsporum gypseum（gypsum））
ミクロスポルム・ナヌム（Microsporum nanum）
トリコフィートン・コンセントリクム（Trichophyton concentricum）
トリコフィートン・エクイヌム（Trichophyton equinum）
トリコフィートン・ガリネ（Trichophyton gallinae）
トリコフィートン・ジプスム（ジプセウム）
（Trichophyton gypsum（gypseum））
トリコフィートン・メグニニ（Trichophyton megnini）
トリコフィートン・メンタグロフィテス（Trichophyton mentagrophytes）
トリコフィートン・キンケアヌム（Trichophyton quinckeanum）
トリコフィートン・ルブルム（Trichophyton rubrum）
トリコフィートン・シェーンレイニ（Trichophyton schoenleini）
トリコフィートン・トンスランス（Trichophyton tonsurans）
トリコフィートン・ベルコスム（Trichophyton verrucosum）
トリコフィートン・ベルコスム・アルブム変種
（Trichophyton verrucosum var.album）
トリコフィートン・ベルコスム・ジスコイデス変種
（Trichophyton verrucosum var.discoides）
トリコフィートン・ベルコスム・オクラセウム変種
（Trichophyton verrucosum var.ochraceum）
トリコフィートン・ビオラセウム（Trichophyton violaceum）
【請求項６】前記皮膚糸状菌類はミクロスポルム・カニス、ミクロスポルム・ジプスム（Microsporum gypsum）およびトリコフィートン・メンタグロフィテス（Trichophyton mentagrophytes）である、請求項５記載のワクチン。
【請求項７】前記適当なキャリアは水酸化アルミニウムゲルを含む、請求項１記載のワクチン。
【請求項８】前記適当なキャリアは等張溶液を含む、請求項１記載のワクチン。
【請求項９】前記適当なキャリアは乳酸添加リンゲル液を含む、請求項８記載のワクチン。
【請求項１２】少なくとも１種の皮膚糸状菌に由来する抗原を含む抗原調製物をつくり；そして前記抗原調製物を適当なキャリアと組み合わせることから成る白癬ワクチンの製造方法。
【請求項１３】前記抗原調製物は前記皮膚糸状菌の培養物をホモジナイズすることを含む手順によりつくられる、請求項１２記載の方法。
【請求項１６】前記手順は、ホモジナイゼーションの後に、前記培養物をフィルターを通して吸引することをさらに含む、請求項１３記載の方法。
【請求項１７】前記皮膚糸状菌は下記皮膚糸状菌類より成る群から選ばれる、請求項１２記載の方法。
エピダーモフィートン・フロクスム（Epidermophyton floccusum）
ミクロスポルム・オウズイニ（Microsporum audouini）
ミクロスポルム・カニス（Microsporum canis）
ミクロスポルム・ジストーツム（Microsporum distortum）
ミクロスポルム・エクイヌム（Microsporum equinum）
ミクロスポルム・ジプセウム（ジプスム）（Microsporum gypseum（gypsum））
ミクロスポルム・ナヌム（Microsporum nanum）
トリコフィートン・コンセントリクム（Trichophyton concentricum）
トリコフィートン・エクイヌム（Trichophyton equinum）
トリコフィートン・ガリネ（Trichophyton gallinae）
トリコフィートン・ジプスム（ジプセウム）(Trichophyton gypsum（gypseum））
トリコフィートン・メグニニ（Trichophyton megnini）
トリコフィートン・メンタグロフィテス（Trichophyton mentagrophytes）
トリコフィートン・キンケアヌム（Trichophyton quinckeanum）
トリコフィートン・ルブルム（Trichophyton rubrum）
トリコフィートン・シェーンレイニ（Trichophyton schoenleini）
トリコフィートン・トンスランス（Trichophyton tonsurans）
トリコフィートン・ベルコスム（Trichophyton verrucosum）
トリコフィートン・ベルコスム・アルブム変種
（Trichophyton verrucosum var.album）
トリコフィートン・ベルコスム・ジスコイデス変種
（Trichophyton verrucosum var.discoides）
トリコフィートン・ベルコスム・オクラセウム変種
（Trichophyton verrucosum var.ochraceum）
トリコフィートン・ビオラセウム（Trichophyton violaceum）
【請求項１８】前記皮膚糸状菌はミクロスポルム・カニスである、請求項１７記載の方法。
【請求項１９】前記抗原は複数の皮膚糸状菌類に由来するものである、請求項１２記載の方法。
【請求項２０】前記皮膚糸状菌類は下記皮膚糸状菌類より成る群から選ばれる、請求項１９記載の方法。
エピダーモフィートン・フロクスム（Epidermophyton floccusum）
ミクロスポルム・オウズイニ（Microsporum audouini）
ミクロスポルム・カニス（Microsporum canis）
ミクロスポルム・ジストーツム（Microsporum distortum）
ミクロスポルム・エクイヌム（Microsporum equinum）
ミクロスポルム・ジプセウム（ジプスム）（Microsporum gypseum（gypsum））
ミクロスポルム・ナヌム（Microsporum nanum）
トリコフィートン・コンセントリクム（Trichophyton concentricum）
トリコフィートン・エクイヌム（Trichophyton equinum）
トリコフィートン・ガリネ（Trichophyton gallinae）
トリコフィートン・ジプスム（ジプセウム）(Trichophyton gypsum（gypseum））
トリコフィートン・メグニニ（Trichophyton megnini）
トリコフィートン・メンタグロフィテス（Trichophyton mentagrophytes）
トリコフィートン・キンケアヌム（Trichophyton quinckeanum）
トリコフィートン・ルブルム（Trichophyton rubrum）
トリコフィートン・シェーンレイニ（Trichophyton schoenleini）
トリコフィートン・トンスランス（Trichophyton tonsurans）
トリコフィートン・ベルコスム（Trichophyton verrucosum）
トリコフィートン・ベルコスム・アルブム変種
（Trichophyton verrucosum var.album）
トリコフィートン・ベルコスム・ジスコイデス変種
（Trichophyton verrucosum var.discoides）
トリコフィートン・ベルコスム・オクラセウム変種
（Trichophyton verrucosum var.ochraceum）
トリコフィートン・ビオラセウム（Trichophyton violaceum）
【請求項２１】前記皮膚糸状菌類はミクロスポルム・カニス、ミクロスポルム・ジプスムおよびトリコフィートン・メンタグロフィテスである、請求項２０記載の方法。
【請求項２２】前記適当なキャリアは水酸化アルミニウムゲルを含む、請求項１２記載の方法。
【請求項２３】前記適当なキャリアは等張溶液を含む、請求項１２記載の方法。
【請求項２４】前記適当なキャリアは乳酸添加リンゲル液を含む、請求項２３記載の方法。
【請求項２５】少なくとも１種の皮膚糸状菌の培養物を用意し；
前記培養物に、皮膚糸状菌を死滅させる作用物質を加え；
前記培養物をホモジナイズし；
前記培養物をフィルターを通して吸引し；
そして前記抗原調製物を適当なキャリアと組み合わせることから成る白癬ワクチンの製造方法。
【請求項２６】少なくとも１種の皮膚糸状菌から分離した抗原；および適当なキャリアを含有する白癬ワクチンを人間以外の動物に投与することから成る、該動物の白癬の治療方法。
【請求項２７】前記皮膚糸状菌は下記皮膚糸状菌類より成る群から選ばれる、請求項２６記載の方法。
エピダーモフィートン・フロクスム（Epidermophyton floccusum）
ミクロスポルム・オウズイニ（Microsporum audouini）
ミクロスポルム・カニス（Microsporum canis）
ミクロスポルム・ジストーツム（Microsporum distortum）
ミクロスポルム・エクイヌム（Microsporum equinum）
ミクロスポルム・ジプセウム（ジプスム）（Microsporum gypseum（gypsum））
ミクロスポルム・ナヌム（Microsporum nanum）
トリコフィートン・コンセントリクム（Trichophyton concentricum）
トリコフィートン・エクイヌム（Trichophyton equinum）
トリコフィートン・ガリネ（Trichophyton gallinae）
トリコフィートン・ジプスム（ジプセウム）(Trichophyton gypsum（gypseum））
トリコフィートン・メグニニ（Trichophyton megnini）
トリコフィートン・メンタグロフィテス（Trichophyton mentagrophytes）
トリコフィートン・キンケアヌム（Trichophyton quinckeanum）
トリコフィートン・ルブルム（Trichophyton rubrum）
トリコフィートン・シェーンレイニ（Trichophyton schoenleini）
トリコフィートン・トンスランス（Trichophyton tonsurans）
トリコフィートン・ベルコスム（Trichophyton verrucosum）
トリコフィートン・ベルコスム・アルブム変種
（Trichophyton verrucosum var.album）
トリコフィートン・ベルコスム・ジスコイデス変種
（Trichophyton verrucosum var.discoides）
トリコフィートン・ベルコスム・オクラセウム変種
（Trichophyton verrucosum var.ochraceum）
トリコフィートン・ビオラセウム（Trichophyton violaceum）
【請求項２８】前記皮膚糸状菌はミクロスポルム・カニスである、請求項２７記載の方法。
【請求項２９】前記抗原は複数の皮膚糸状菌類から分離される、請求項２６記載の方法。
【請求項３０】前記皮膚糸状類は下記皮膚糸状菌類より成る群から選ばれる、請求項２９記載の方法。
エピダーモフィートン・フロクスム（Epidermophyton floccusum）
ミクロスポルム・オウズイニ（Microsporum audouini）
ミクロスポルム・カニス（Microsporum canis）
ミクロスポルム・ジストーツム（Microsporum distortum）
ミクロスポルム・エクイヌム（Microsporum equinum）
ミクロスポルム・ジプセウム（ジプスム）（Microsporum gypseum（gypsum））
ミクロスポルム・ナヌム（Microsporum nanum）
トリコフィートン・コンセントリクム（Trichophyton concentricum）
トリコフィートン・エクイヌム（Trichophyton equinum）
トリコフィートン・ガリネ（Trichophyton gallinae）
トリコフィートン・ジプスム（ジプセウム）(Trichophyton gypsum（gypseum））
トリコフィートン・メグニニ（Trichophyton megnini）
トリコフィートン・メンタグロフィテス（Trichophyton mentagrophytes）
トリコフィートン・キンケアヌム（Trichophyton quinckeanum）
トリコフィートン・ルブルム（Trichophyton rubrum）
トリコフィートン・シェーンレイニ（Trichophyton schoenleini）
トリコフィートン・トンスランス（Trichophyton tonsurans）
トリコフィートン・ベルコスム（Trichophyton verrucosum）
トリコフィートン・ベルコスム・アルブム変種
（Trichophyton verrucosum var.album）
トリコフィートン・ベルコスム・ジスコイデス変種
（Trichophyton verrucosum var.discoides）
トリコフィートン・ベルコスム・オクラセウム変種
（Trichophyton verrucosum var.ochraceum）
トリコフィートン・ビオラセウム（Trichophyton violaceum）
【請求項３１】前記皮膚糸状菌類はミクロスポルム・カニス、ミクロスポルム・ジプスムおよびトリコフィートン・メンタグロフィテスである、請求項３０記載の方法。
【請求項３２】前記適当なキャリアは水酸化アルミニウムゲルを含む、請求項２６記載の方法。
【請求項３３】前記適当なキャリアは等張溶液を含む、請求項２６記載の方法。
【請求項３４】前記適当なキャリアは乳酸添加リンゲル液を含む、請求項３３記載の方法。
【請求項３６】前記動物は妊娠している、請求項26記載の方法。
【請求項３７】少なくとも１種の皮膚糸状菌に由来する抗原を含む抗原調製物をつくり；そして
前記抗原調製物を適当なキャリアと組み合わせる
ことを含む手順により製造された白癬ワクチンを人間以外の動物に投与することから成る、該動物の白癬の治療方法。
【請求項３８】前記抗原調製物は前記皮膚糸状菌の培養物をホモジナイズすることを含む手順によりつくられる、請求項３７記載の方法。
【請求項４１】前記手順は、ホモジナイゼーションの後に、前記培養物をフィルターを通して吸引することをさらに含む、請求項３８記載の方法。
【請求項４２】前記動物は妊娠している、請求項３７記載の方法。」
     　
３．刊行物記載の発明
　当審が取消理由理由通知において引用した本件優先権主張日前に頒布されたA. J. Chanis、学位論文「皮膚糸状菌抗原による動物の免疫化」の概要、１９８９年２月２７日、Kovalenko−Research−Instituteモスクワ発行（＝甲第１号証、以下、刊行物１という。）には、以下の事項が記載されている。（記載箇所は英語の翻訳文である甲第１号証の２による）
（ア）実験で使用した動物は１９２のモルモット、１７２のウサギ及び２６０のイヌであった。（４頁、材料及び方法の項の第２段落）
（イ）動物の感染及び免疫には、ミクロスポルム・カニス、ミクロスポルム・ジプセウム及びトリコフィートン・メンタグロフィテスを使用した。（４頁、材料と方法の項の第３段落）
（ウ）培養物から得られる菌類の病原性及び免疫原性を研究するために、ホモジネートを調製し、塩化ナトリウムの０.８５％溶液で再懸濁し、かつ細胞の濃度をGoryaev chamber で決定した。次いで生きている細胞の量を逐次培養及び感染による試験で計算した。
　大形及び小形分生子の懸濁液を得るために、ガーゼフィルター又はミリポアフィルター社で生産した５−１０mlのフィルターで濾過して画分に分割した。（４頁最後の段落〜５頁最初の段落）
（エ）グルービー病に対するワクチン接種後の免疫性の発現におけるナトリウムヌクレイネート、ピロゲナール及び水酸化アルミニウムゲルの作用を、ウサギに対する実験で研究した。No.7849菌株(M.canis)から得られた１×１０8量の生きた小形分生子を種々の量の基剤と組み合わせて動物に２回皮下又は筋肉内注射した（表２）。・・・・従って、抗原に対する生体の免疫反応を強化するために、４mg/ml量のナトリウムヌクレイナート及び０.２５、０.５及び１.０％の濃度の水酸化アルミニウムゲルを使用することにより、わずか２回の注射で強い免疫性を生じさせることが可能となった。（１１頁の２．２．３ミクロスポルム・カニスの小形分生子から得られた抗原で動物を接種する場合における免疫刺激剤及びアジュバントの使用の項の第１段落〜１３頁の第２段落）
（オ）モルモットの実験においては、ホルマリンで不活性化され、４mg量のナトリウムヌクレイナートと組み合わせた７８４９菌株のミクロスポルム・カニスが動物に強い免疫性を生じたことが分った。・・・・ミクロスポルム属の小形分生子から得られた二価の抗原（両方の型、それぞれ５×１０7細胞）並びにミクロスポルム属及びトリコフィートン属の小形分生子から得られた三価の抗原（５×１０7細胞のミクロスポルム・カニス＋５×１０7細胞のミクロスポルム・ジプセウム＋１×１０8細胞のトリコフィートン・メンタグロフィテス）で動物を接種した。上記のすべての細胞をホルマリンで不活性化した。抗原を１及び４mg/mlの量で、レバミゾールを１６mg/mlの量で、水酸化アルミニウムゲルを０.２５％濃度で動物に投与した。免疫化に使用したすべての抗原が免疫原性を有し、抗原を４mg/mlのナトリウムヌクレイナートと組み合わせた場合に接種したイヌに最も強い免疫原性生じたことが分った。・・・・結果を表５に示す。（１７〜１９頁第３段落：２．２．５不活化抗原による実験動物及びイヌの免疫化の項に関する記載）
　
４．対比・判断
（ｉ）請求項１に係る発明について
　上記摘示事項を整理すると、刊行物１には、モルモット、ウサギ及びイヌを実験動物（ア）とし、免疫原として、ミクロスポルム・カニス、ミクロスポルム・ジプセウム及びトリコフィートン・メンタグロフィテスを使用（イ）して、培養物から得られる菌類の病原性及び免疫原性を研究したことが記載され、その試験方法は、菌類の培養物のホモジネートを調整し、塩化ナトリウムの０.８５％溶液で再懸濁して、また、大形及び小形分生子の懸濁液を得るためにフィルターで濾過して画分に分割して得、それを動物に接種したこと（ウ）、抗原に対する生体の免疫反応を強化するために、ナトリウムヌクレイナート及び水酸化アルミニウムゲルを使用することにより、強い免疫性を生じさせることが可能となったこと（エ）、すべての細胞がホルマリンで不活性化されたものである、ミクロスポルム属及びトリコフィートン属の小形分生子から得られた三価の抗原（５×１０7細胞のミクロスポルム・カニス＋５×１０7細胞のミクロスポルム・ジプセウム＋１×１０8細胞のトリコフィートン・メンタグロフィテス）を動物に接種し、この際、抗原を、レバミゾール、水酸化アルミニウムゲルとともに使用して免疫原性が生じ、また、抗原をナトリウムヌクレイナートと組み合わせてイヌ接種したところ最も強い免疫原性を生じたこと（オ）が記載されている。
　
　請求項１に係る発明と刊行物１に記載ものを対比する。
　後者のものにおいては、免疫原として使用したミクロスポルム・カニス、ミクロスポルム・ジプセウム及びトリコフィートン・メンタグロフィテスが皮膚糸状菌であること、及び菌類の培養物のホモジネートに抗原が含まれていることは技術常識であり、これらを塩化ナトリウム溶液で再懸濁したものを動物に接種して免疫原性を検討しているから、この再懸濁したものはワクチンに他ならない。そして上記塩化ナトリウム溶液がワクチンのキャリアであることは明らかである。
　そうすると、両者は、皮膚糸状菌に由来する抗原、及び適当なキャリアを含有する白癬ワクチンであり、異なるところはない。
　したがって、請求項１に係る発明は刊行物１に記載された発明である。
　
（ii）請求項２〜７に係る発明について
　請求項２〜７に係る発明は、請求項１に係る発明を、皮膚糸状菌を特定、複数の菌類を用いること、キャリアを特定しているが、これらの事項はいずれも刊行物１（摘示事項（イ）〜（オ））に記載されている。
　したがって、請求項２〜７に係る発明は、刊行物１に記載されたものである。
　
（iii）請求項１２に係る発明について
　請求項１２に係る発明は白癬ワクチンの製造方法に関するものであるが、刊行物１には、菌類の培養物のホモジネートを調製し、塩化ナトリウムの０.８５％溶液で再懸濁して、また、大形及び小形分生子の懸濁液を得るためにフィルターで濾過して画分に分割して得、それを動物に接種したことが記載されている。この記載における皮膚糸状菌の培養物のホモジネートは、皮膚糸状菌に由来する抗原を含む抗原調製物に相当し、これを塩化ナトリウム溶液に再懸濁することは抗原調製物をキャリアと組み合わせることに相当することは明らかであるから、請求項１２に係る発明における製造方法と刊行物１に記載の製造方法とには異なるところはない。
　したがって、請求項１２に係る発明は刊行物１に記載されたものである。
　
（iv）請求項１３及び１６〜２２に係る発明について
　請求項１３及び１６〜２２に係る発明は、請求項１２に係る発明において、培養物をホモジナイズする工程あるいは、ホモジナイゼーションの後に、培養物をフィルターを通して吸引する工程を追加して処理手段を限定しているか、皮膚糸状菌又はワクチンのキャリアを限定しているものであるが、これらの事項はいずれも刊行物１（摘示事項（イ）〜（オ））に記載されている。
　したがって、請求項１３及び１６〜２２に係る発明は刊行物１に記載された発明である。
　
（ｖ）請求項２５に係る発明について
　請求項２５に係る発明におけるワクチンの製造方法は、請求項１６に係る発明において培養物をホモジナイズする前に、皮膚糸状菌の培養物に皮膚糸状菌を死滅させる作用物質を加える工程を設けると限定したことを特徴とするものと認められる。
　請求項２５に係る発明と刊行物１に記載のものと対比すると、上記（iii）及び（iv）に述べたように、両者は、少なくとも１種の皮膚糸状菌の培養物を用意し、前記培養物をホモジナイズし、前記培養物をフィルターを通し吸引し；そして前記抗原調製物を適当なキャリアと組み合わせて白癬ワクチンを製造する方法で一致し、前者は、皮膚糸状菌の培養物に皮膚糸状菌を死滅させる作用物質を加える工程を培養物をホモジナイズする前に設けているの対して、後者は死滅させる作用物質（ホルマリン）を加えることは記載されているもののその時期が明確でない点が相違している。
　しかし、ワクチンにおいて、病原体の培養物にホルマリンなどの作用物質を加え不活化し、その後ホモジナイズすることは周知の方法であるので、刊行物に記載のホルマリン不活化を周知の方法に限定することは当業者が容易に想到できるものと認められる。
　したがって、請求項２５に係る発明は、刊行物１に記載された発明に基いて当業者が容易に発明をすることができたものである。
（vi）請求項２６に係る発明について
　請求項２６に係る発明は、請求項１に係る白癬ワクチンを人間以外の動物に投与する治療方法であるが、刊行物１にはモルモット、ウサギ及びイヌに対して実験を行なっているのであるから、これらの動物に対して白癬ワクチンで治療することが記載されている。
　したがって、請求項２６に係る発明は、刊行物１に記載された発明である。
　
（vii）請求項２７〜３２に係る発明について
　請求項２７〜３２に係る発明は、請求項２６に係る発明を、皮膚糸状菌又はワクチンのキャリアを限定するものであるが、これらの事項はいずれも刊行物１（摘示事項（イ）〜（オ））に記載されている。
　したがって、請求項２７〜３２に係る発明は刊行物１に記載された発明である。
　
（viii）請求項３７、３８及び４１に係る発明について
　請求項３７、３８及び４１はそれぞれ、請求項２６に係る発明における治療方法において使用される白癬ワクチンを請求項１２、請求項１３又は請求項１６にそれぞれ記載されている製造方法で限定したものと認められるが、上記（iii）（iv）及び（vi）に記載したように、上記白癬ワクチンの製造方法は刊行物１に記載されている。
　したがって、請求項３７、３８及び４１に係る発明は刊行物１に記載された発明である。
　　
（iiiv）請求項１〜９、１２〜１３、１６〜２４、２６〜３４、３６〜３８及び４１〜４２に係る発明について
　一般にワクチンは弱毒化した生ワクチンと、死滅化させた不活化ワクチンがあることからみて、死滅化が明記されていない上記各請求項に係る発明は、弱毒化した生ワクチンを包含するものである。
　そして、一般に、ホルマリン等の化学薬品で病原体を死滅化させる不活化ワクチンの処理手段は当業者ならば容易に想定できるであろうが、弱毒化は病原体の性質を変えるもの、つまりもととは異なる病原体（例えば別の菌株）とするものであって、必ずしも成功できるものではない。一方、本願明細書には、弱毒化方法が全く記載されていないから、技術常識を参酌しても当業者はその方法を知り得ない。
　したがって、本件特許明細書には、表記の各請求項に係る発明におけるワクチンが生ワクチンである場合について、当業者が容易に実施できる程度に記載されてるとは認められない。
　　
４．むすび
　以上のとおりであるから、本件請求項１〜７、１２〜１３、１６〜２２，２５〜３２、３７〜３８及び４１に係る特許は特許法第２９条の規定に違反してされたものであり、また、上記のように本件請求項１〜９、１２〜１３、１６〜２４、２６〜３４、３６〜３８及び４１〜４２に係る発明に関して本件特許明細書の記載には不備があり、本件特許は特許法第３６条第３項に規定する要件を満たしていない出願に対してされたものである。
　したがって、特許法の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論の通り決定する。
【異議決定日】
平成１５年５月１４日（２００３．５．１４）